(57)【要約】      （修正有）【課題】防水、防塵及び放熱等の問題を一度に解決する戸外用ＬＥＤライトを提供する。【解決手段】戸外用ＬＥＤライトは、基板１１とＬＥＤ光源１０と、ライト基台１、及びすべて透光材で製造されたライトカバー２と防護蓋とを備えている。ライトカバーはカバー遮蔽部２０、及びカバー遮蔽部の周辺縁から外向きに伸びた突出辺２１を有し、カバー遮蔽部内部にはＬＥＤ光源を収納する納置空間２００を形成し、且つ突出辺とカバー遮蔽部内壁には段差部２１０を形成し、基板を該段差部上に載置する。防護蓋はライトカバー外型に合わせてライトカバーの外側に被せ、且つ防護蓋と突出辺間には防水フレーム３０を環設する。そして、一層の導熱溶剤を段差部上に載置した基板表面に塗布して納置空間を密封する。【選択図】図３
0003147170.tif 000002
【実用新案登録請求の範囲】
【請求項１】
基板、及び該基板上に設置したLED光源を含むライト基台と、
透光性を有する材質で製造し、カバー遮蔽部、及び該カバー遮蔽部の周辺縁から外向きに伸びた突出辺を有し、該カバー遮蔽部内部には前記LED光源を収納する納置空間を形成し、且つ前記突出辺とカバー遮蔽部内壁には段差部を形成して前記基板を前記段差部上に載置するライトカバーと、
透光性を有する材質で製造し、前記ライトカバー外型に合わせて形成して該ライトカバーの外側に被せ、且つ前記突出辺との間に防水フレームを環設する防護蓋と、から構成され、
一層の導熱溶剤を、前記段差部上に設置した基板表面に塗布して前記納置空間を密封することを特徴とする戸外用ＬＥＤライト。
【請求項２】
前記ライト基台の基板は、二導電端が間隔を開けて設置され、LED光源を電気連接して該基板上に設置することを特徴とする請求項１記載の戸外用ＬＥＤライト。
【請求項３】
前記LED光源は、LEDライト管もしくはLEDライトユニットであることを特徴とする請求項２記載の戸外用ＬＥＤライト。
【請求項４】
前記ライトカバーのカバー遮蔽部は、内壁に複数の中空ネジ柱を分布して設置し、且つ複数の螺設部品を前記基板に差し込むことによってそれぞれ複数の中空ネジ柱内で固定されることを特徴とする請求項１記載の戸外用ＬＥＤライト。
【請求項５】
前記複数の該螺設部品は、すべてネジであることを特徴とする請求項４記載の戸外用ＬＥＤライト。
【請求項６】
前記ライトカバーの突出辺とその段差部が形成した高度落差は、基板厚みより大きくし、前記基板表面上に塗布した導熱溶剤が高度を補い、且つ該導熱溶剤の外表面を前記突出辺の高度箇所まで切り揃えることを特徴とする請求項１記載の戸外用ＬＥＤライト。
【考案の詳細な説明】
【技術分野】
【０００１】
本考案は、ライトに係り、特に戸外の照明に適用する戸外用LEDライトに関する。
【背景技術】
【０００２】
LEDをライトの光源とすることは、現在ではライト業者で広く応用されている。しかしながら、LEDは電子部品の一種に属し、戸外のライト上に応用する場合、防水、防塵等の問題を解決し、同時に放熱の問題も考慮する必要がある。
【０００３】
この他、LEDを従来戸外のライトに応用する場合、そのライトカバーは日焼けや雨に当たって濡れ、色落ちもしくは透光度が落ち、それにより、投射された光源が光不足、もしくは初期に比べて劣ってしまい、ライトの使用性及びその裝飾効果も大幅に落ちてしまっていた。
【考案の開示】
【考案が解決しようとする課題】
【０００４】
考案が解決しようとする問題点は、日焼けや雨に当たることで光を透す効果が落ちてしまう点である。
【０００５】
本考案はこれらの事情に鑑みてなされたもので、日焼けや雨に当たることで光を透す効果が落ちてしまうという従来の欠点を解消すること、即ち、防水、防塵効果を備えるだけでなく、同時にライトカバーを保護して雨や太陽から守り、色落ちもしくは透光度低下等問題の発生を減らし、新しい防護蓋との交換を可能とする戸外用ＬＥＤライトの提供を目的とする。
【課題を解決するための手段】
【０００６】
本考案の一態様による戸外用ＬＥＤライトは、基板とLED光源を具えるライト基台、及びすべて透光材で製造されたライトカバーと防護蓋を備えている。前記ライトカバーはカバー遮蔽部、及びカバー遮蔽部の周辺縁から外向きに伸びた突出辺を有し、カバー遮蔽部内部にはLED光源を収納する納置空間を形成し、且つ突出辺とカバー遮蔽部内壁には段差部を形成して前記基板を段差部上に載置する。前記防護蓋はライトカバー外型に合わせてライトカバーの外側に被せ、且つ前記防護蓋と突出辺間には防水フレームを環設する。そのうち，一層の導熱溶剤を前記段差部上に載置した基板表面に塗布して納置空間を密封する。
【考案の効果】
【０００７】
本考案の戸外用ＬＥＤライトは、防水、防塵及び放熱等問題を一度に解決するという利点がある。
【考案を実施するための最良の形態】
【０００８】
本考案は、戸外LEDライトを提供し、基板とLED光源を具えたライト基台、及びすべて透光材で製造したライトカバーと防護蓋とを備えている。前記ライトカバーは、カバー遮蔽部、及びカバー遮蔽部の周辺縁から外向きに伸びた突出辺を有し、カバー遮蔽部内部にはLED光源を入れる納置空間を形成する。更に、突出辺とカバー遮蔽部内壁には段差部を形成して基板を該段差部上に載置する。別に、防護蓋はライトカバー外型に合わせてライトカバー外に被せ、且つ該防護蓋と突出辺の間には防水フレームを環設する。そして、一層の導熱溶剤を段差部上に設置した基板表面に塗布して納置空間を密封することにより、戸外LEDライトを完成する。
【０００９】
本考案について、詳細な説明と図を挙げて本考案実施例の特徴及び内容を説明するが、それは本考案を制限するものではない。
【実施例】
【００１０】
図１及び図２は、本考案の実施例を示す立体分解図及び立体組立図である。本実施例では戸外LEDライトを提供し、それはライト基台１、ライトカバー２、及び防護蓋３を備えている。
【００１１】
前記ライト基台１は、LED光源１０を設置するのに用い、基板１１、及び該基板１１上に隔てて設置した二導電端１２を含む。また、本実施例において、前記LED光源１０はLEDライト管とし、二導電端１２の間で電気連接し、該二導電端１２で導電した後、電力を供給する。
【００１２】
ライトカバー２は、透光性を有する材質で製造し、上述ライト基台１の基板１１形状に合わせて成形した蓋遮蔽体で、前記基板１１を該ライトカバー２上の開口箇所で蓋にする。例として本実施例の基板１１は細長形状であるため、該ライトカバー２も同じく細長形状の蓋遮蔽体である。前記ライトカバー２は、カバー遮蔽部２０、及び該カバー遮蔽部２０周辺縁から外向きに伸びた突出辺２１を有する。そのうちのカバー遮蔽部２０内部には、納置空間２００を形成し、ライトカバー２０の主な蓋遮蔽部位を構成し、ライト基台１のLED光源１０をその中に収納する。また、前記突出辺２１は、カバー遮蔽部２０の内壁とで段差部２１０を形成し、その段差部２１０と突出辺２１が形成する高度落差は、上述基板１１の厚みより大きく形成し、該カバー遮蔽部２０内壁には上向きに屹立して設置した複数の中空ネジ柱２２が分布している。前記段差部２１０の高度箇所（図３参照）まで切り揃え、上述基板１１を段差部２１０上に載置した後、ネジ等の複数の螺設部品１３を基板１１に差込み、それぞれ中空ネジ柱２２内で固定し、基板１１をライトカバー２上方で蓋をする。
【００１３】
前記防護蓋３は、透光性を有する材質で製造し、上述ライトカバー２の外型に合わせて該ライトカバー２の外に被せ、且つ該防護蓋３とライトカバー２の突出辺２１との間に防水フレーム３０を環設する。
【００１４】
図２及び図３に示すとおり、上述の各部品の組立が完成した後、前記ライト基台１の基板１１表面上に一層の導熱溶剤１４を塗布し、該カバー遮蔽部２０の納置空間２００を密封する。前記導熱溶剤１４は、導熱樹脂もしくは導熱ペーストで、段差部２１０と突出辺２１が形成した高度落差は基板１１の厚みより大きいため、基板１１と突出辺２１の間に形成した高度落差（図３参照）を補填し、該導熱溶剤１４の外表面を突出辺２１の高度箇所まで切り揃え、LED光源１０に必要な電力を供給する電源線は、ライトカバー２内から基板１１と導熱溶剤に差し込んだ後外向きに伸びて外に出る（図４参照）。
【００１５】
上述構造を組み立てることにより、本実施例の戸外LEDライトが完成する。
【００１６】
図３及び図４に示すとおり、前記ライトカバー２の主な透光部位は、カバー遮蔽部２０上であり、また前記カバー遮蔽部２０もまた防護蓋３が保護するため該カバー遮蔽部２０に雨水がかかったり、日に焼けたりするのを減らして光沢が落ちる問題を改善する。更に、前記防護蓋３は、ライトカバー２の外側に被せるため、適当な時期に防護蓋３を交換でき、LEDライトが投射した光源の光沢と輝度等を維持する。更にまた、防水フレーム３０及び基板１１上の導熱溶剤１４によって防水、防塵に効果があり、且つ前記導熱溶剤１４はLED光源１０の放熱を高める作用も兼ね備え、LEDライトの防水、防塵及び放熱等問題を一度に解決する。例として玄関灯、門外灯（例第五図参照）等に適する。
【００１７】
更に、図６に示すとおり、ライトカバー２内部に設置する該LED光源１０は、LEDライトユニットでもよく、同様に基板１１表面上に塗布した熱溶剤１４によって、LED光源１０を放熱する。
【００１８】
以上述べた実施例は、良好な実施例であり、本考案の請求範囲を制限するものではない。故に、本考案の説明書、及び図示に示す同効果の構造変化はすべて本考案の範囲内とする。
【図面の簡単な説明】
【００１９】
【図１】本考案実施例を示す立体分解図である。
【図２】本考案実施例を示す立体組立図である。
【図３】本考案実施例を示す組立断面図である。
【図４】図３の４−４断面図である。
【図５】本考案を玄関灯に応用した説明図である。
【図６】本考案の別実施例の組立断面図である。
【符号の説明】
【００２０】
１        ライト基台
１０        LED光源
１１        基板
１２        導電端
１３        螺設部品
１４        導熱溶剤
２        ライトカバー
２０        カバー遮蔽部
２００        納置空間
２１        突出辺
２１０        段差部
２２        ネジ柱
３        防水蓋
３０        防水フレーム
【図１】
0003147170.tif 000003
【図２】
0003147170.tif 000004
【図３】
0003147170.tif 000005
【図４】
0003147170.tif 000006
【図５】
0003147170.tif 000007
【図６】
0003147170.tif 000008